(57)【要約】【課題】筆記時にペン先が軸筒内に没入するおそれがなく、しかも、筆記やキャップ着脱で軸筒とカートリッジとの嵌合状態が変化せず、常にカートリッジの取り外しが容易であり、さらに、キャップの取り外し時にカートリッジを誤って引き抜くおそれがなく、カートリッジの部品点数の増加を抑えることができる筆記具を提供する。【解決手段】ペン先ホルダー５が、先細前部５１と、挿着部５２と、圧入部５３と、段部５４とを備える。先細前部５１が軸筒２の前端より前方に位置し、段部５４が軸筒２の前端に当接され、挿着部５２の外面が軸筒２の前端開口部内面に着脱自在に嵌合される。先細前部５１の外面にカートリッジ着脱時の把持部５１ａが形成される。キャップ７が先細前部５１と非接触状態にある。【選択図】  図２
2019199088.tif 000002
【特許請求の範囲】
【請求項１】
軸筒と、前端にペン先を備え且つ前記軸筒の前端開口部に着脱自在のカートリッジと、前記ペン先側に被着されるキャップとを備えた筆記具であって、
前記カートリッジが、ペン先と、前記ペン先が固着されるペン先ホルダーと、前記ペン先ホルダーの後部が圧入固着されるインキ収容筒とを備え、
前記ペン先ホルダーが、前記ペン先が固着される先細前部と、前記先細前部より後方に形成され且つ前記先細前部の後端より小さい外径を有する挿着部と、前記挿着部より後方に形成され、前記挿着部より小さい外径を有し且つ前記インキ収容筒の前端開口部に圧入固着される圧入部と、前記先細前部と前記挿着部との間に形成される段部とを備え、
前記カートリッジが前記軸筒の前端開口部に挿着された状態において、前記先細前部が前記軸筒の前端より前方に位置し、前記段部が軸筒の前端に当接され、前記挿着部の外面が軸筒の前端開口部内面に着脱自在に嵌合され、前記先細前部の外面にカートリッジ着脱時の把持部が形成されており、
前記キャップがペン先側に被着された状態において、前記軸筒の前端部外面に前記キャップが嵌合され、前記キャップが前記先細前部と非接触状態にあることを特徴とする筆記具。
【請求項２】
前記把持部に滑り止め部が形成される請求項１記載の筆記具。
【発明の詳細な説明】
【技術分野】
【０００１】
本発明は、筆記具に関する。
【背景技術】
【０００２】
従来、この種の筆記具において、例えば、特許文献１には、軸筒の開口部にゴム、合成樹脂等で形成した取付体が嵌着され、カートリッジ式ボールペン等の内部機構の書記部付近にゴム、合成樹脂等で形成した嵌合体が取付けられ、嵌合体の傾斜面が取付体の開口部に密に嵌合される構造が開示されている。
【先行技術文献】
【特許文献】
【０００３】
【特許文献１】特開昭６１−１１２７００号公報
【発明の概要】
【発明が解決しようとする課題】
【０００４】
前記特許文献１の筆記具は、ボールペン等の内部機構（本願のカートリッジに相当）の書記部付近に別部品の嵌合体が嵌挿される構造である。そのため、筆記時の筆圧により嵌合体とボールペン等の内部機構との嵌合が外れ、ペン先が軸筒内に没入するおそれがある。また、前記特許文献１の筆記具は、嵌合体によりボールペン等の内部機構の部品点数が増加することに伴い、製造コストが増加する。
【０００５】
さらに、前記特許文献１の筆記具は、筆記時の筆圧により嵌合体の傾斜面が、軸筒の取付体の開口部に食いつき、ボールペン等の内部機構の取り外しが困難となるおそれがある。また、前記特許文献１の筆記具は、キャップが嵌合体にも嵌合する構造であるため、キャップ被着時のキャップの強い押し込み操作により嵌合体が取付体に一層、食いつくおそれがあり、また、キャップの取り外し時に誤ってボールペン等の内部機構を引く抜くおそれがある。
【０００６】
本発明は前記従来の問題点を解決するものであって、筆記時にペン先が軸筒内に没入するおそれがなく、しかも、筆記やキャップ着脱で軸筒とカートリッジとの嵌合状態が変化せず、常にカートリッジの取り外しが容易であり、さらに、キャップの取り外し時にカートリッジを誤って引き抜くおそれがなく、カートリッジの部品点数の増加を抑えることができる筆記具を提供しようとするものである。
【０００７】
尚、本発明において、「前」とはペン先側を指し、「後」とはその反対側のカートリッジ側を指す。
【課題を解決するための手段】
【０００８】
本願の第１の発明は、軸筒２と、前端にペン先４を備え且つ前記軸筒２の前端開口部に着脱自在のカートリッジ３と、前記ペン先側に被着されるキャップ７とを備えた筆記具であって、前記カートリッジ３が、ペン先４と、前記ペン先４が固着されるペン先ホルダー５と、前記ペン先ホルダー５の後部が圧入固着されるインキ収容筒６とを備え、前記ペン先ホルダー５が、前記ペン先４が固着される先細前部５１と、前記先細前部５１より後方に形成され且つ前記先細前部５１の後端より小さい外径を有する挿着部５２と、前記挿着部５２より後方に形成され、前記挿着部５２より小さい外径を有し且つ前記インキ収容筒６の前端開口部に圧入固着される圧入部５３と、前記先細前部５１と前記挿着部５２との間に形成される段部５４とを備え、前記カートリッジ３が前記軸筒２の前端開口部に挿着された状態において、前記先細前部５１が前記軸筒２の前端より前方に位置し、前記段部５４が軸筒２の前端に当接され、前記挿着部５２の外面が軸筒２の前端開口部内面に着脱自在に嵌合され、前記先細前部５１の外面にカートリッジ着脱時の把持部５１ａが形成されており、前記キャップ７がペン先側に被着された状態において、前記軸筒２の前端部外面に前記キャップ７が嵌合され、前記キャップ７が前記先細前部５１と非接触状態にあることを特徴とする。
【０００９】
前記第１の発明の筆記具１は、前記形態を採用したことにより、ペン先ホルダー５の段部５４が軸筒２の前端に当接されるため、筆記時にペン先４が軸筒２内に没入することを回避でき、前記キャップ７が先細前部５１と非接触状態にあることにより、キャップ着脱で軸筒２とカートリッジ３との嵌合状態が変化せず、常にカートリッジ３の取り外しが容易となり、且つ、キャップ７の取り外し時にカートリッジ３を誤って引き抜くおそれがなく、しかも、カートリッジ３の部品数の増加を抑え、簡易構造により得られる。
【００１０】
本願の第２の発明は、前記第１の発明の筆記具１において、前記把持部５１ａに滑り止め部が形成されることを特徴とする。
【００１１】
前記第２の発明の筆記具１は、前記把持部５１ａに滑り止め部が形成されることにより、カートリッジ３の着脱が容易となるとともに、筆記時の把持が容易となる。尚、前記滑り止め部は、具体的には、把持部５１ａの表面に形成した凹凸部、または弾性材料からなる外皮等が挙げられる。前記凹凸部は、例えば、複数の環状の凸部または凹部、網目状の凸部または凹部、複数の点状の凸部または凹部等が挙げられる。
【発明の効果】
【００１２】
筆記時にペン先が軸筒内に没入するおそれがなく、しかも、筆記やキャップ着脱で軸筒とカートリッジとの嵌合状態が変化せず、常にカートリッジの取り外しが容易であり、さらに、キャップの取り外し時にカートリッジを誤って引き抜くおそれがなく、その上、カートリッジの部品点数の増加を抑えることができる。
【図面の簡単な説明】
【００１３】
【図１】本発明の実施の形態の縦断面図である。
【図２】図１の要部拡大縦断面図である。
【図３】図１のカートリッジを示す正面図である。
【図４】図１のペン先ホルダーを示す拡大正面図である。
【発明を実施するための形態】
【００１４】
本発明の筆記具の実施の形態を図面に従って説明する。（図１乃至図４参照）
【００１５】
本実施の形態の筆記具１は、軸筒２と、前端にペン先４を備え且つ前記軸筒２の前端開口部に着脱自在のカートリッジ３と、前記ペン先側に被着されるキャップ７とを備える。
【００１６】
・軸筒
前記軸筒２は、合成樹脂製または金属製の両端が開口された筒状体である。
【００１７】
・内側嵌合部
前記軸筒２の前端開口部内面に、内側嵌合部２１が形成される。前記内側嵌合部２１は、環状平滑面からなる。前記内側嵌合部２１に、ペン先ホルダー５の小径部の外側嵌合部５２ａが着脱自在に嵌合される。前記内側嵌合部２１は、環状平滑面の他、内向突起（例えば、環状突起、周状に分散配置される複数の点状突起等）であってもよい。
【００１８】
・キャップ嵌合部
前記軸筒２の前端部外面には、キャップ７の内面が着脱自在のキャップ嵌合部２２が形成される。前記キャップ嵌合部２２は、外向突起により形成される。前記外向突起は、例えば、環状突起または周状に分散配置される複数の点状突起からなる。前記キャップ嵌合部２２は、外向突起の他にも、環状平滑面からなる構成でもよい。
【００１９】
・摩擦部材
前記軸筒２の後端開口部には、低摩耗性の弾性材料（例えば、シリコーン樹脂、ＳＢＳ樹脂、ＳＥＢＳ樹脂等）からなる摩擦部材８が圧入固着される。前記摩擦部材８は、熱変色性インキの筆跡を摩擦することにより発生する摩擦熱で該筆跡を熱変色させるものである。
【００２０】
・カートリッジ
前記カートリッジ３は、ペン先４と、前記ペン先４が前部に固着されるペン先ホルダー５と、前記ペン先ホルダー５の後部が前端に固着されるインキ収容筒６とを備える。
【００２１】
・ペン先
前記ペン先４は、前端にボールが回転可能に抱持されたボールペンチップが採用される。
前記ボールペンチップ内には、前記ボールを前方に付勢し且つ前記ボールを前端縁部の内面に密接させる弾発体が収容される。前記ボールを前端縁部の内面に密接されることにより、非筆記時のペン先４からのインキ漏出及び空気混入が防止される。前記ペン先４は、ボールペンチップ以外にも、繊維加工体または多孔質体からなるマーキングペン体であってもよい。
【００２２】
・ペン先ホルダー
前記ペン先ホルダー５は、両端が開口された合成樹脂製の円筒状体からなる。前記ペン先ホルダー５の前端開口部にペン先４が固着される。前記ペン先ホルダー５の後端部がインキ収容筒６の前端開口部に圧入固着される。
【００２３】
前記ペン先ホルダー５の外面は、前端部の先細前部５１と、前記先細前部５１の後方に形成され且つ前記先細前部５１の後端の外径より小さい外径を有する挿着部５２と、前記挿着部５２の後方に形成され且つ前記挿着部５２の後端の外径より小さい外径を有する圧入部５３と、前記先細前部５１と前記挿着部５２との間に形成される第１の段部５４と、前記挿着部５２と前記圧入部５３との間に形成される第２の段部５５とを備える。
【００２４】
1
前記挿着部５２の外面（外側嵌合部５２ａ）が軸筒２の前端開口部内面（内側嵌合部２１）に嵌合された状態において、前記先細前部５１が軸筒２前端部より前方に位置される。前記先細前部５１の外面にカートリッジ着脱時（カートリッジ交換時）の把持部５１ａが形成される。前記先細前部５１の後端部外径が、軸筒２の前端の外径と略同じ外径に設定される。それにより、筆記時、前記大径部外面からその後方の軸筒２の前端部外面の領域が把持可能となる。前記先細前部５１は、前端部が先細状に形成される。
【００２５】
前記把持部５１ａの表面に凹凸部（複数の環状突起と複数の環状溝により形成された凹凸部）からなる滑り止め部が形成される。それにより、カートリッジ着脱時および筆記時の安定した把持が可能となる。
【００２６】
また、前記先細前部５１の後端部外径が、軸筒２のキャップ７の開口部の内径より小さい外径に設定される。それにより、キャップ７内面とペン先ホルダー５との非接触状態が維持される。
【００２７】
前記挿着部５２の外面に、軸筒２の前端開口部内面の内側嵌合部２１に着脱自在に嵌合される外側嵌合部５２ａが形成される。前記外側嵌合部５２ａは、環状の外向突起により形成される。前記外側嵌合部５２ａが軸筒２の前端開口部内面の内側嵌合部２１（環状平滑面）と嵌合される。前記外側嵌合部５２ａが軸筒２の前端開口部内面の内側嵌合部２１と嵌合された状態において、第１の段部５４と軸筒２の前端が前後方向に当接され、ペン先ホルダー５の後方移動が規制される。尚、前記外側嵌合部５２ａは、これ以外にも、環状平滑面であってもよい。
【００２８】
前記圧入部５３の外面は、環状平滑面により形成される。前記圧入部５３の外面が前記インキ収容筒６の前端開口部内面に圧入固着される。前記圧入部５３の外面が前記インキ収容筒６の前端開口部内面に圧入固着された状態において、前記第２の段部５５とインキ収容筒６の前端が前後方向に当接される。
【００２９】
・インキ収容筒
前記インキ収容筒６は、両端が開口された円筒体であり、合成樹脂の押出成形により得られる。前記インキ収容筒６の外径は、挿着部５２の外側嵌合部５２ａの外径より小さく設定される。それにより、軸筒２の前端開口部へのインキ収容筒６のスムーズな挿入が可能となる。前記インキ収容筒６内部には、インキ（水性または油性インキ）と、前記インキの後端に充填され且つ前記インキの消費に伴い前進する追従体（例えば高粘度流体）が収容される。本実施の形態では、好ましくは、前記インキは、水性の熱変色性インキが採用される。前記熱変色性インキは、加熱により変色または消色する可逆熱変色性インキが好ましい。前記インキ収容筒６の後端部には尾栓が固着されてもよい。
【００３０】
・キャップ
前記キャップ７は、一端が開口され且つ他端が閉鎖された有底筒状体により形成され、合成樹脂の成形体により得られる。前記キャップ７の開口部内面には、軸筒２のキャップ嵌合部２２に嵌合可能な被嵌合部７１が形成される。前記被嵌合部７１は、内向突起により形成される。前記内向突起（例えば、環状突起、周状に分散配置される複数の点状突起等）が、キャップ嵌合部２２（外向突起）と乗り越え係止される。前記被嵌合部７１は、内向突起の他、環状平滑面であってもよい。
【００３１】
・空気通路
前記第１の段部５４には径方向の第１の空気溝５６が形成され、前記挿着部５２の外面には、第１の空気溝５６に連通する前後方向に第２の空気溝５７が形成され、前記インキ収容筒６外面と前記軸筒２内面との間には、第２の空気溝５７に連通する空気流通間隙９が形成される。キャップ７がペン先側より外され、カートリッジ３が軸筒２に挿着された状態において、前記第１の空気溝５６、前記第２の空気溝５７、及び前記空気流通間隙９により、インキ収容筒６の後端開口部と外気との空気流通が可能となる。
【００３２】
・カートリッジ取り外し
カートリッジ３が軸筒２に挿着された状態において、ペン先側からキャップ７を外し、一方の手で軸筒２外面を把持し、他方の手でペン先ホルダー５の把持部５１ａをつかんで引っ張ることにより、カートリッジ３を軸筒２から取り外すことができる。
【００３３】
・カートリッジ挿着
カートリッジ３が軸筒２から取り外された状態において、手でペン先ホルダー５の把持部５１ａをつかんでインキ収容筒６の後端から軸筒２の前端開口部内に挿入すると、ペン先ホルダー５第１の段部５４が軸筒２の前端に当接されるとともに、ペン先ホルダー５の挿着部５２が軸筒２の前端開口部内面に挿着される。それにより、カートリッジ３が軸筒２に挿着された状態となる。
【００３４】
本実施の形態の筆記具１は、ペン先ホルダー５の第１の段部５４が軸筒２の前端に当接されるため、筆記時にペン先４が軸筒２内に没入することを回避できる。また、前記キャップ７が先細前部５１と非接触状態にあることにより、キャップ着脱で軸筒２とカートリッジ３との嵌合状態が変化せず、常にカートリッジ３の取り外しが容易となり、且つ、キャップ７の取り外し時にカートリッジ３を誤って引き抜くおそれがない。しかも、カートリッジ３の部品数の増加を抑え、簡易構造により得られる。
【００３５】
本実施の形態の筆記具１は、前記把持部５１ａに滑り止め部が形成されることにより、カートリッジ３の着脱が容易となるとともに、筆記時の把持が容易となる。
【符号の説明】
【００３６】
１  筆記具
２  軸筒
２１  内側嵌合部
２２  キャップ嵌合部
３  カートリッジ
４  ペン先
５  ペン先ホルダー
５１  先細前部
５１ａ  把持部
５２  挿着部
５２ａ  外側嵌合部
５３  圧入部
５４  第１の段部
５５  第２の段部
５６  第１の空気溝
５７  第２の空気溝
６  インキ収容筒
７  キャップ
７１  被嵌合部
８  摩擦部材
９  空気流通間隙
【図１】
2019199088.tif 000003
【図２】
2019199088.tif 000004
【図３】
2019199088.tif 000005
【図４】
2019199088.tif 000006
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
軸筒と、前端にペン先を備え且つ前記軸筒の前端開口部に着脱自在のカートリッジとを備えた筆記具であって、
前記カートリッジが、ペン先と、前記ペン先が固着されるペン先ホルダーと、前記ペン先ホルダーの後部が圧入固着され且つ内部に熱変色性インキを収容したインキ収容筒とを備え、
前記ペン先ホルダーが、前記ペン先が固着される先細前部と、前記先細前部より後方に形成され且つ前記先細前部の後端より小さい外径を有する挿着部と、前記挿着部より後方に形成され、前記挿着部より小さい外径を有し且つ前記インキ収容筒の前端開口部に圧入固着される圧入部と、前記先細前部と前記挿着部との間に形成される第１の段部とを備え、
前記カートリッジが前記軸筒の前端開口部に挿着された状態において、前記先細前部が前記軸筒の前端より前方に位置し、前記第１の段部が軸筒の前端に当接され、前記挿着部の外面が軸筒の前端開口部内面に着脱自在に嵌合され、前記先細前部の外面にカートリッジ着脱時の把持部が形成されており、
前記軸筒の後端開口部には、前記熱変色性インキの筆跡を摩擦することにより発生する摩擦熱で該筆跡を熱変色させる低摩耗性の弾性材料からなる摩擦部材が圧入固着されることを特徴とする筆記具。
【請求項２】
前記把持部に滑り止め部が形成される請求項１記載の筆記具。
【請求項３】
前記ペン先ホルダーが、前記挿着部と前記圧入部との間に形成される第２の段部を備え、
前記第２の段部が、前記挿着部との間に面取り部を有する請求項１又は２に記載の筆記具。